(57)【特許請求の範囲】
【請求項１】
各種機器からのセンシング情報を収集し、管理し、取得要求があれば前記センシング情報を提供する情報管理センタと、収集したセンシング情報を前記情報管理センタに送信するセンシング機器と、前記センシング機器が収集したセンシング情報を基にサービスを実施するようなサービス事業者と、前記センシング機器を製造する機器メーカから構成される情報収集管理システムにおける情報収集管理方法において、
前記機器メーカは、前記センシング機器が収集し送信する前記センシング情報の種類、データタイプ、データ長、データ開始位置を機器管理センタへ情報のテンプレートとして登録し、
登録したテンプレートに対して前記機器管理センタはテンプレート識別子を発行し、
前記センシング機器は、前記テンプレート識別子と収集情報を併せて送信し、
前記機器管理センタは前記テンプレート識別子からテンプレート情報を検索し、前記センシング情報を解釈し、管理する、情報収集管理方法。
【請求項２】
請求項１に記載の情報収集管理方法において、
前記機器メーカが,前記センシング機器が収集する前記センシング情報の特徴であるデータ構造、データタイプ、データ長、データ開始位置、データ送信間隔、前記機器メーカ識別情報を、前記機器管理センタにテンプレート情報としてあらかじめ登録する情報収集管理方法。
【請求項３】
請求項２に記載の情報収集管理方法において、
前記情報管理センタは、前記テンプレート情報のテンプレート識別子を前記機器メーカに返信し、前記センシング機器は収集した前記センシング情報と前記テンプレート識別子を一緒に送信する情報収集管理方法。
【請求項４】
請求項１に記載の情報収集管理方法において、
前記センシング機器は情報を収集するホスト機器と情報を送信する通信モジュールから構成される機器であって、前記テンプレート識別子を前記ホスト機器に記憶し、ホスト機器から通信モジュールに対して、前記センシング情報と前記テンプレート識別子を伝送する情報収集管理方法。
【請求項５】
請求項１に記載の情報収集管理方法において、
前記センシング機器は情報を収集するホスト機器と情報を送信する前記通信モジュールから構成される機器であって、前記テンプレート識別子を前記通信モジュールに記憶し、ホスト機器から通信モジュールに対して、前記センシング情報と伝送し、前記通信モジュールが前記センシング情報と前記テンプレート識別子を一緒に送信する情報収集管理方法。
【請求項６】
請求項２に記載の情報収集管理方法において、
前記情報管理センタは、前記テンプレート情報として登録された前記データ送信間隔よりも長い間データを受信しなかった場合、前記センシング機器の動作異常を検知する方法であって、前記機器メーカあるいは前記センシング機器の管理者に対して前記異常を通知する情報収集管理方法。
【請求項７】
請求項１に記載の情報収集管理方法において、
前記サービス業者は、前記情報管理センタに対して、前記テンプレート識別子を送信することにより、前記テンプレート情報で管理されている情報を一括して取得する情報収集管理方法。
【請求項８】
各種機器からのセンシング情報を収集し、管理し、取得要求があれば前記センシング情報を提供する情報管理センタと、収集したセンシング情報を前記情報管理センタに送信するセンシング機器と、前記センシング機器が収集したセンシング情報を基にサービスを実施するようなサービス事業者と、前記センシング機器を製造する機器メーカから構成される情報収集管理システムにおいて、
前記機器メーカは、前記センシング機器が収集し送信する前記センシング情報の種類、データタイプ、データ長、データ開始位置を機器管理センタへ情報のテンプレートとして登録し、
登録したテンプレートに対して前記機器管理センタはテンプレート識別子を発行し、
前記センシング機器は、前記テンプレート識別子と収集情報を併せて送信し、
前記機器管理センタは前記テンプレート識別子からテンプレート情報を検索し、前記センシング情報を解釈し、管理する、情報収集管理システム。
【請求項９】
請求項８に記載の情報収集管理システムにおいて、
前記機器メーカが、前記センシング機器が収集する前記センシング情報の特徴であるデータ構造、データタイプ、データ長、データ開始位置、データ送信間隔、前記機器メーカ識別情報を、前記機器管理センタにテンプレート情報としてあらかじめ登録する情報収集管理システム。
【請求項１０】
請求項９に記載の情報収集管理システムにおいて、
前記情報管理センタは、前記テンプレート情報のテンプレート識別子を前記機器メーカに返信し、前記センシング機器は収集した前記センシング情報と前記テンプレート識別子を一緒に送信する情報収集管理システム。
【請求項１１】
請求項８に記載の情報収集管理システムにおいて、
前記センシング機器は情報を収集するホスト機器と情報を送信する通信モジュールから構成される機器であって、前記テンプレート識別子を前記ホスト機器に記憶し、ホスト機器から通信モジュールに対して、前記センシング情報と前記テンプレート識別子を伝送する情報収集管理システム。
【請求項１２】
請求項８に記載の情報収集管理システムにおいて、
前記センシング機器は情報を収集するホスト機器と情報を送信する前記通信モジュールから構成される機器であって、前記テンプレート識別子を前記通信モジュールに記憶し、ホスト機器から通信モジュールに対して、前記センシング情報と伝送し、前記通信モジュールが前記センシング情報と前記テンプレート識別子を一緒に送信する情報収集管理システム。
【請求項１３】
請求項９に記載の情報収集管理システムにおいて、
前記情報管理センタは、前記テンプレート情報として登録された前記データ送信間隔よりも長い間データを受信しなかった場合、前記センシング機器の動作異常と判断し、前記機器メーカあるいは前記センシング機器の管理者に対して前記異常を通知する情報収集管理システム。
【請求項１４】
請求項８に記載の情報収集管理システムにおいて、
前記サービス業者は、前記情報管理センタに対して、前記テンプレート識別子を送信することにより、前記テンプレート情報で管理されている情報を一括して取得する情報収集管理システム。
【発明の詳細な説明】
【技術分野】
【０００１】
本発明は、各種機器から情報を収集し管理するシステム、ネットワーク、及び機器に関する。
【背景技術】
【０００２】
センサネットワークの要求は急速に拡大しており、温度、湿度、照度、人感センサ、バイタルセンサ、各種計測機器等を用いた環境モニタリング、宅内セキュリティ、ヘルスケア等のサービスが提供され始めている。そのようなセンサネットワークを構成する各センシング機器は、一般的に、センシング部であるセンサ情報取得部等を含むホスト機器とネットワーク通信処理等を行う通信モジュールからなる。
【０００３】
これらは、製造段階で一体型として一つの機器として構成される場合や、ホスト機器に通信モジュールを接続可能なインターフェースをもたせ、後から機器外付けの形式で通信モジュールを接続する場合がある。通信モジュールは、ホスト機器から受信するどのようなセンシング情報であっても、センシング情報を管理するセンタに送信できなければならない。通信モジュールが、ホスト機器からどのような情報を受信し、前記管理センタへ送信すればよいといったことがあらかじめ決定できる場合、例えば、ホスト機器が体重計であり、ホスト機器から6バイトのASCII形式で体重値が送信されることわかっていた場合、通信モジュールは前記6バイトを受信後、センタに送信するといった動作ができればよく、通信モジュールを開発する際に容易に設定可能である。また、前記情報を受信するセンタも、送信されてくる情報がどのような形式かわかるため、受信データを解釈し、データを保存、管理することが可能である。
【０００４】
しかしながら、センシング機器はホスト機器メーカごとにデータの内容やデータ形式、データ順序等が異なっている場合が大部分であるだけでなく、センシング機器も日々増加しており、それらを前もって決定することは現実的でなく、新規機器、あるいは新規センシング情報が追加されても送信可能な通信モジュール、及び解釈可能なセンタであることが望ましい。
【０００５】
この課題を解決する１つとして、特開2000-270384号公報（特許文献１）、あるいは特開2006-254949号公報（特許文献2）開示される技術がある。前記２つの文献にて開示される技術の特徴は、ホスト機器と通信モジュールが通信を開始する前に、通信モジュール上で動作するソフトウェア、すなわちホスト機器からの情報を受信しセンタへの送信する方法を、ホスト機器、あるいは外部ネットワークからダウンロードし、動的に設定可能となっている点である。これにより、新規に開発されたホスト機器からの情報であっても、通信モジュールはセンタへ送信することが可能となる。
【０００６】
【特許文献１】特開2000-270384号公報
【特許文献２】特開2006-254949号公報
【発明の開示】
【発明が解決しようとする課題】
【０００７】
従来技術では、ホスト機器から送信される情報が変わる度に、通信モジュールにダウンロード・インストールするソフトウェアを新規に開発する必要がある。即ち、新規ホスト機器の開発に加え、通信モジュール向けのソフトウェア開発等もあわせて行う必要がある。また、上記通信モジュール上のソフトウェア開発にあたり、データ構造、データの種類、通信プロトコル等の詳細仕様まで固定する必要があり、多種多様なホスト機器を対象とするセンサネットワークにおいては不向きである。
【課題を解決するための手段】
【０００８】
上記課題を解決するため、本発明では、ホスト機器、通信モジュール、センシング情報管理センタが一体となったシステム構成、及び、送信データ形式を提供している。
【０００９】
ホスト機器を開発するホスト機器開発メーカは、新規開発したホスト機器が収集する情報、あるいはホスト機器からセンシング情報管理センタへ送信するデータ形式をあらかじめ登録し、それらを送信データのテンプレートとして登録する。センシング情報管理センタは、登録されたテンプレートごとにホスト機器開発メーカにテンプレートIDを発行する。このテンプレートIDとセンシング情報をあわせてホスト機器から通信モジュールに伝送する、あるいは、あらかじめテンプレートIDを通信モジュールに記憶させ、ホスト機器から伝送されるセンシング情報に通信モジュールに前記テンプレートIDを付加して、センシング情報管理センタに送信することにより、通信モジュール上の動作ソフトウェアの開発工数を大幅に削減することが可能となる。また、センシング情報管理センタは、登録されているテンプレート情報から受信データのデータ解釈が可能となり、データを保存管理することが可能となる。
【００１０】
以上のように、新規開発されたホスト機器にテンプレートIDを登録し、センシング情報と共に通信モジュールからセンシング情報管理システムに送信することにより、通信モジュールの開発工数を抑えたセンシング情報管理センタでの情報管理システムを提供することが可能となる。
【発明の効果】
【００１１】
本発明によれば、センシング機器からのセンシング情報の収集・管理において、新規センシング機器の種類の増加、即ち新規ホスト機器の出現においても、既存の通信モジュールを再利用可能であり、通信モジュールの開発工数を軽減する。
【発明を実施するための最良の形態】
【００１２】
本発明の実施の形態を以下に説明する。
【実施例１】
【００１３】
以下、本発明の第一の実施例を図1〜8を用いて説明する。
【００１４】
まず、図1〜図4を用いて、本発明にかかるセンサネットワークの構成について説明し、次に、図5〜8を用いて本発明にかかるセンシング情報登録、取得、及び動作確認方法について説明する。
【００１５】
図1は、センシング機器、既存のネットワーク、センシング情報処理センタ、ゲートウェイ、アプリケーションサービスプロバイダ、及びホスト機器メーカからなる本発明で想定するネットワーク構成を示す図である。
この図において、符号101はネットワーク、符号102はゲートウェイ、符号103はセンシング情報管理センタ、符号104はネットワーク、符号105はホスト機器メーカM1、符号106はホスト機器メーカM2、符号107はアプリケーションサービスプロバイダASP1、符号108はアプリケーションサービスプロバイダASP2、符号109はアプリケーションサービスプロバイダASP3、符号110はセンシング機器NM1、符号111はセンシング機器NM2、符号112はセンシング機器NM3である。
ネットワーク101はセンシング情報管理センタと接続されている既存のインターネット網等であり、ゲートウェイ102、センシング情報管理センタ103と接続されている。
【００１６】
ゲートウェイ102はセンシング機器から受信した情報をセンシング情報管理センタ103に転送する機能、あるいは、前記センシング情報管理センタからの情報を前記センシング機器に転送する機能を有する機器であり、前記機器、あるいは、前記ネットワークとの通信媒体は有線あるいは無線等問わないもので構成された機器であり、ネットワーク101と接続されている。
【００１７】
センシング情報管理センタ103はホスト機器メーカ、及び、アプリケーションサービスプロバイダ、ゲートウェイと通信する機能を有し、主に、ホスト機器メーカが製造したセンシング機器が取得したセンシング情報を格納、管理し、アプリケーションサービスプロバイダにセンシング情報を提供する機能を有するセンタであり、ネットワーク101、及びネットワーク104と接続されている。
【００１８】
ネットワーク104はセンシング情報管理センタと接続されている既存のインターネット網等であり、ホスト機器メーカM1105、ホスト機器メーカM2106、アプリケーションサービスプロバイダASP1107、アプリケーションサービスプロバイダASP2108、アプリケーションサービスプロバイダASP3109、及びセンシング情報管理センタ103と接続されている。
【００１９】
ホスト機器メーカM1105はセンシング機能を提供するホスト機器を製造する事業者であり、ネットワーク104と接続されている。
【００２０】
ホスト機器メーカM2106はセンシング機能を提供するホスト機器を製造する事業者であり、ネットワーク104と接続されている。
【００２１】
アプリケーションサービスプロバイダASP1107はセンシング機器が取得した情報を利用してサービスを行う事業者等であり、ネットワーク104と接続されている。
【００２２】
アプリケーションサービスプロバイダASP2108はセンシング機器が取得した情報を利用してサービスを行う事業者等であり、ネットワーク104と接続されている。
【００２３】
アプリケーションサービスプロバイダASP3109はセンシング機器が取得した情報を利用してサービスを行う事業者等であり、ネットワーク104と接続されている。
【００２４】
センシング機器NM1110は情報を収集するセンシング部であるホスト機器と、前記情報を伝送するためにゲートウェイ102と通信するネットワーク機器、あるいはネットワーク処理部からなる機器である。
【００２５】
センシング機器NM2111は情報を収集するセンシング部であるホスト機器と、前記情報を伝送するためにゲートウェイ102と通信するネットワーク機器、あるいはネットワーク処理部からなる機器である。
【００２６】
センシング機器NM3112は情報を収集するセンシング部であるホスト機器と、前記情報を伝送するためにゲートウェイ102と通信するネットワーク機器、あるいはネットワーク処理部からなる機器である。
【００２７】
図2はホスト機器と通信モジュール間の機器、および通信情報構成図である。
この図において、符号201はセンシング機器、符号202は、符号203は、符号204は制御部、符号205は通信IF、符号206は入出力IF、符号207はホスト機器主要機能部、符号208は機器間通信処理部、符号209は入出力IF、符号210は機器間通信処理部、符号211は電源供給部、符号212はホスト機器・通信モジュール間パケット（A）、符号213はテンプレートID、符号214はセンシング情報、符号215はホスト機器・通信モジュール間パケット（B）、符号216はセンシング情報である。
【００２８】
センシング機器201は、ホスト機器202、通信モジュール203から構成されている。
【００２９】
ホスト機器202は本発明が想定するセンサネットワークにおいてセンサ機器とセンサGW機器が通信する無線IFであり、ホスト機器主要機能部207、機器間通信処理部208、入出力IF209、電源供給部211から構成されている。
通信モジュール203は本発明が想定するセンサネットワークにおいてセンサ機器とセンサGW機器が通信する無線IFであり、制御部204、通信IF205、入出力IF206、機器間通信処理部210から構成されている。
【００３０】
制御部204は通信モジュールがホスト機器から情報を受信し、前記情報を通信IFに送信する、通信IFから受信した情報をホスト機器へ送信する、あるいは通信モジュールの各種制御をする等、通信モジュールにおける機能を統制するものであり、通信IF205と接続されている。
【００３１】
通信IF205は通信モジュールが外部ネットワークと通信するためのインターフェースであり、無線あるいは有線等のネットワークと接続されているものであり、制御部204と接続されている。
【００３２】
入出力IF206はホスト機器と通信モジュール間を接続するためのものであり、通信モジュール側が有するものである。
【００３３】
ホスト機器主要機能部207は本発明が想定するセンシング機器において、情報をセンシングしたり、前記情報を送信したりする全体機能を制御管理するものである。
【００３４】
機器間通信処理部208は本発明が想定するセンシング機器の中で、ホスト機器と通信モジュール間の情報伝送を処理するものであり、ホスト機器側が有するものである。
【００３５】
入出力IF209はホスト機器と通信モジュール間を接続するためのものであり、ホスト機器側が有するものである。
【００３６】
機器間通信処理部210は本発明が想定するセンシング機器の中で、ホスト機器と通信モジュール間の情報伝送を処理するものであり、通信モジュール側が有するものである。
【００３７】
電源供給部211は本発明が想定するセンシング機器に電源を供給するものであり、たとえばAC電源、DC電源、電池等である。
【００３８】
ホスト機器・通信モジュール間パケット（A）212はセンシング機器が収集した情報を通信モジュールに転送する際のデータ形式であり、テンプレートID213、センシング情報214から構成されている。テンプレートID213はあらかじめセンシング情報管理センタに登録した識別情報であり、後続の情報のパケット形式、内容を識別するためのものである。センシング情報214はセンシング機器が収集した情報であり、センシング機器情報管理センタに登録する情報である。ホスト機器・通信モジュール間パケット（A）212は、テンプレートIDをホスト機器側で付加して通信モジュールに送信するものである。
【００３９】
ホスト機器・通信モジュール間パケット（B）215はセンシング機器が収集した情報を通信モジュールに転送する際のデータ形式であり、センシング情報216から構成されている。センシング情報216はセンシング機器が収集した情報であり、センシング機器情報管理センタに登録する情報である。ホスト機器・通信モジュール間パケット（B）215は、テンプレートIDを通信モジュール側で付加して送信するものである。
【００４０】
図3はセンシング情報を送信するためのパケットを示す図である。
これは、本発明で想定するセンシング情報送信用のパケットのパケット形式を示す。この図において、符号301は送信パケット、符号302は宛先ID、符号303は送信元ID、符号304はテンプレートID、符号305はセンシング情報、符号306は送信パケット例（A)、符号307は送信パケット例（B)、符号308は送信パケット例（C）である。
【００４１】
送信パケット301はセンシング機器が収集した情報を送信するためのパケットであり、送信元ID303、テンプレートID304から構成されている。
宛先ID302はセンシング情報を送信する相手を識別するための情報であり、通信モジュールにおいて付加されるものである。
送信元ID303はセンシング情報を収集したセンシング機器を識別するための情報であり、通信モジュールにおいて付加されるものである。
【００４２】
テンプレートID304はあらかじめセンシング情報管理センタに登録した識別情報であり、後続の情報のパケット形式、内容を識別するためのものであり、ホスト機器、あるいは通信モジュールにおいて付加されるものである。
【００４３】
センシング情報305はセンシング機器が収集した情報であり、センシング機器情報管理センタに登録する情報である。
【００４４】
送信パケット例（A）306はセンシング機器NM1がゲートウェイに送信するパケット例であり、テンプレートIDとして「1」を格納し、センシング情報として、「WEIGHT」、「HIGHT」、「BMI」、「FAT」が順に格納されるものである。
【００４５】
送信パケット例（B)307はセンシング機器NM2ゲートウェイに送信するパケット例であり、テンプレートIDとして「2」を格納し、センシング情報として、「WEIGHT」が格納されるものである。
【００４６】
送信パケット例（C)308はセンシング機器NM3がゲートウェイに送信するパケット例であり、テンプレートIDとして「3」を格納し、センシング情報として、「BP」、「DBP」、「PULSE」が順に格納されるものである。
【００４７】
図4はテンプレート登録データベースを示す図である。
これは、センシング情報管理センタがセンシング機器から送信されるパケットを解釈してデータベースに格納するためのテンプレート登録表である。ただし、これらはセンシング情報管理センタが受信パケットを解釈し、管理すること可能であれば、必ずしもこの形式である必要はない。
【００４８】
「ID」401はテンプレート登録情報を識別するためのものであり、「タグ」402はセンシング情報を構成するデータタイプを示すものが記載される。「タイプ」403は情報タイプを示すものが記載される。「オフセット」404はセンシング情報の開始からのオフセットを示すものが記載される。「長さ」405はデータ長を示すものが記載される。「メーカ名」406はセンシング機器を製造したホスト機器メーカを識別するためのものが記載される。「間隔」407はセンシング情報が送信される最大の間隔を示すものが記載される。
【００４９】
次に、図5を用いて本発明にかかるホスト機器メーカが、新規に開発したセンシング機器に対して、センシング機器が送信するデータ形式を登録するためにセンシング情報管理センタからテンプレートIDを取得する処理方法の流れを説明する。ここで、符号501はホスト機器メーカであり、符号502はセンシング情報管理センタである。
【００５０】
最初に、ホスト機器メーカ501はセンシング機器の開発する処理503を行う。次に、ホスト機器メーカ501は、テンプレート新規取得要求504をセンシング情報管理センタ502へ送信する。次に、センシング情報管理センタ502はテンプレート新規取得要求の検証する処理505を行う。次に、センシング情報管理センタ502は、テンプレート新規取得要求の受領506をホスト機器メーカ501へ送信する。次に、ホスト機器メーカ501は、テンプレート情報の送信507をセンシング情報管理センタ502へ送信する。次に、センシング情報管理センタ502はテンプレート情報の登録する処理508を行う。次に、センシング情報管理センタ502はテンプレートIDの発行する処理509を行う。最後に、センシング情報管理センタ502は、テンプレートIDの送信510をホスト機器メーカ501へ送信する。
【００５１】
以上より、ホスト機器メーカが新規に開発したホスト機器がセンシング機器として利用される場合のテンプレート登録、テンプレートID取得が完了する。
【００５２】
次に、図６を用いて、センシング機器が取得したセンシング情報をセンシング情報管理センタに登録方法の流れを説明する。本実施例においては、ホスト機器が収集したデータは、センシング機器からゲートウェイ経由でセンサ情報管理センタへ登録される。ここで、符号601はホスト機器であり、符号602はゲートウェイであり、符号603はセンシング情報管理センタである。
【００５３】
最初に、ホスト機器601はセンシング情報取得する処理604を行う。次に、ホスト機器601はテンプレートID付加する処理605を行う。次に、ホスト機器601はセンシング情報送信パケット生成する処理606を行う。次に、ホスト機器601は、センシング情報送信パケット送信607をゲートウェイ602へ送信する。次に、ゲートウェイ602は、センシング情報送信パケット転送608をセンシング情報管理センタ603へ送信する。次に、センシング情報管理センタ603はセンシング情報送信パケット受信する処理609を行う。次に、センシング情報管理センタ603はテンプレートIDの取得、検証する処理610を行う。最後に、センシング情報管理センタ603はセンシング情報の登録する処理611を行う。
【００５４】
以上より、センシング機器からセンシング情報管理センタへの機器送信、及び格納が完了する。
【００５５】
次に、図7を用いて本発明にかかるアプリケーションサービスプロバイダがセンシング情報管理センタから情報を取得方法の流れを説明する。ここで、符号701はアプリケーションサービスプロバイダであり、符号702はセンシング情報管理センタである。
【００５６】
最初に、アプリケーションサービスプロバイダ701は、センシング機器ID、テンプレートIDをセンシング情報管理センタ702へ送信する。次に、センシング情報管理センタ702はセンシング情報取得要求の検証する処理704を行う。次に、センシング情報管理センタ702は、センシング情報得要求の受領705をアプリケーションサービスプロバイダ701へ送信する。次に、センシング情報管理センタ702は、センシング情報706をアプリケーションサービスプロバイダ701へ送信する。最後に、アプリケーションサービスプロバイダ701は、センシング情報受領確認707をセンシング情報管理センタ702へ送信する。
【００５７】
以上より、アプリケーションサービスプロバイダがセンシング情報管理センタからの情報取得が完了する。
【００５８】
次に、図8を用いて本発明にかかるセンシング機器の正常動作確認方法の流れを説明する。これは、センシング機器が正常に動作していることをセンサ情報管理センタが確認するシーケンス図であり、正常に動作していない機器すなわち、ある一定期間以上、センシング情報をセンシング管理センタに送信していない機器を発見した場合の動作シーケンスである。ここで、符号801はホスト機器であり、符号802はゲートウェイであり、符号803はセンシング情報管理センタであり、符号804はセンシング情報管理者である。
【００５９】
最初に、ホスト機器801はセンシング情報取得する処理805を行う。次に、ホスト機器801はテンプレートID付加する処理806を行う。次に、ホスト機器801はセンシング情報送信パケット生成する処理807を行う。次に、ホスト機器801は、センシング情報送信パケット送信808をゲートウェイ802へ送信する。次に、ゲートウェイ802は、センシング情報送信パケット809をセンシング情報管理センタ803へ転送する。次に、センシング情報管理センタ803はセンシング情報送信パケットを受信する処理810を行う。次に、センシング情報管理センタ803はテンプレートIDの取得、検証する処理811を行う。次に、センシング情報管理センタ803はセンシング情報の登録する処理812を行う。次に、センシング情報管理センタ803はセンシング情報受信間隔チェックする処理813を行う。
【００６０】
次に、センシング情報管理センタ803はセンシング情報未受信機器の発見する処理814を行う。次に、センシング情報管理センタ803は、センシング情報送信要求815をゲートウェイ802へ送信する。次に、センシング情報管理センタ803は、異常動作機器の存在通知816をセンシング情報管理者804へ送信する。最後に、ゲートウェイ802は、センシング情報送信要求の転送817をホスト機器801へ送信する。
【００６１】
以上より、正常動作していないセンシング機器をセンシング情報管理センタにおいて発見すること可能となり、さらにセンシング機器管理者への通知も可能となる。
【実施例２】
【００６２】
以下、本発明の第二の実施例を、図9を用いて説明する。図9は、センシング機器、既存のネットワーク、センシング情報処理センタ、ゲートウェイ、アプリケーションサービスプロバイダ、及びホスト機器メーカからなる本発明で想定するネットワーク構成を示す図である。この図において、符号901はネットワーク、符号902はセンシング情報管理センタ、符号903はネットワーク、符号904はホスト機器メーカM1、符号905はホスト機器メーカM2、符号906はアプリケーションサービスプロバイダASP1、符号907はアプリケーションサービスプロバイダASP2、符号908はアプリケーションサービスプロバイダASP3、符号909はセンシング機器NM1、符号910はセンシング機器NM2、符号911はセンシング機器NM3である。
【００６３】
ネットワーク901はセンシング情報管理センタと接続されている既存のインターネット網等であり、センシング情報管理センタ902、センシング機器NM1909、センシング機器NM2910、センシング機器NM3911と接続されている。
【００６４】
センシング情報管理センタ902はホスト機器メーカ、及び、アプリケーションサービスプロバイダ、ゲートウェイと通信する機能を有し、主に、ホスト機器メーカが製造したセンシング機器が取得したセンシング情報を格納、管理し、アプリケーションサービスプロバイダにセンシング情報を提供する機能を有するセンタであり、ネットワーク901、及びネットワーク903と接続されている。
【００６５】
ネットワーク903はセンシング情報管理センタと接続されている既存のインターネット網等であり、ホスト機器メーカM1904、ホスト機器メーカM2905、アプリケーションサービスプロバイダASP1906、アプリケーションサービスプロバイダASP2907、アプリケーションサービスプロバイダASP3908、及びセンシング情報管理センタ902と接続されている。
【００６６】
ホスト機器メーカM1904はセンシング機能を提供するホスト機器を製造する事業者であり、ネットワーク903と接続されている。ホスト機器メーカM2905はセンシング機能を提供するホスト機器を製造する事業者であり、ネットワーク903と接続されている。
【００６７】
アプリケーションサービスプロバイダASP1906はセンシング機器が取得した情報を利用してサービスを行う事業者等であり、ネットワーク903と接続されている。アプリケーションサービスプロバイダASP2907はセンシング機器が取得した情報を利用してサービスを行う事業者等であり、ネットワーク903と接続されている。アプリケーションサービスプロバイダASP3908はセンシング機器が取得した情報を利用してサービスを行う事業者等であり、ネットワーク903と接続されている。
【００６８】
センシング機器NM1909は情報を収集するセンシング部であるホスト機器と、前記情報を伝送するためにセンシング情報管理センタと通信するネットワーク機器、あるいはネットワーク処理部からなる機器であり、ネットワーク901と接続されている。センシング機器NM2910は情報を収集するセンシング部であるホスト機器と、前記情報を伝送するためにセンシング情報管理センタと通信するネットワーク機器、あるいはネットワーク処理部からなる機器であり、ネットワーク901と接続されている。センシング機器NM3911は情報を収集するセンシング部であるホスト機器と、前記情報を伝送するためにセンシング情報管理センタと通信するネットワーク機器、あるいはネットワーク処理部からなる機器であり、ネットワーク901と接続されている。
【００６９】
尚、本実施例において、図５、及び図7と同様にすることにより、センサ情報管理センタからセンシング情報を登録すること、及びセンシング情報をセンシング情報管理センタから取得ことが可能である。さらに、図６、及び図８において、ホスト機器とセンシング情報管理センタがゲートウェイを経由することなく直接通信することにより、センシング情報をセンサ情報管理センタへ登録、及びセンシング機器の正常動作の確認が可能となる。
【００７０】
上記各実施例は、本発明の好適な実施の一例であり、本発明はこれらに限定されることは無い。例えば、上記実施例では、センシング機器NM1909、センシング機器NM2910、及びセンシング機器NM3911がゲートウェイを経由することなく、ネットワーク901に接続されている。本発明では、ゲートウェイの有無に関らず、センシング機器とセンシング情報を収集・管理する管理センタがネットワークを経由して接続されていることが重要であり、上記システム構成に限定されるものではない。
【実施例３】
【００７１】
以下、本発明の第三の実施例を図10、及び図11を用いて説明する。尚、本実施例におけるシステム構成図は、図１、あるいは図９と同様である。ただし、ネットワーク構成は上記実施例２と同様に前記システム構成に限定されるものではない。
【００７２】
図10は、センシング情報を送信するための第二のパケット形式を示す図であり、本発明で想定するセンシング情報送信用のパケットのパケット形式を示す。
この図において、符号1001は送信パケット、符号1002は宛先ID、符号1003は送信元ID、符号1004はセンシング情報である。送信パケット1001は送信元ID1003から構成されている。
【００７３】
図11は、センシング機器、テンプレートIDの対応表を示す図である。
これは、センシング情報管理センタがセンシング機器から送信されるパケットを解釈してデータベースに格納するためのテンプレート登録表を利用するための、センシング機器IDとテンプレートIDの対応表である。
【００７４】
「送信元ID」1101は送信元のセンシング機器を識別するための情報であり、行1103は「送信元ID」が「NM1」であるものに関する記述であり、行1104は「送信元ID」が「NM2」であるものに関する記述であり、行1105は「送信元ID」が「NM3」であるものに関する記述である。
【００７５】
「ID」1102はテンプレート登録情報を識別するためのものが記載される。例えば、「送信元ID」が「NM1」であるもののテンプレートIDである「ID」は「1」であり、「送信元ID」が「NM2」であるもののテンプレートIDである「ID」は「2」であり、「送信元ID」が「NM3」であるもののテンプレートIDである「ID」は「3」である。
【００７６】
本実施例において、上記実施例１の送信パケット301の代わりに、送信パケット1001を利用する。図11のセンシング機器、テンプレートIDの対応表を利用することにより、送信パケットにテンプレートIDが含まれていない場合であっても、送信パケットの送信元IDからテンプレートIDを取得することが可能であり、上記実施例１図5から図8と同様の動作が可能となる。
【図面の簡単な説明】
【００７７】
【図１】第一のシステム構成図
【図２】センシング機器構成図
【図３】センシング情報送信用のパケットの第一のパケット形式
【図４】テンプレート登録表
【図５】センサ情報管理センタからセンシング情報を取得するシーケンス図
【図６】センシング情報をセンサ情報管理センタへ登録するシーケンス図
【図７】センシング情報をセンシング情報管理センタから取得するシーケンス図
【図８】センシング機器異常動作発生時のシーケンス図
【図９】第二のシステム構成図
【図１０】センシング情報送信用のパケットの第一のパケット形式
【図１１】センシング機器とテンプレートIDの対応表
【符号の説明】
【００７８】
101…ネットワーク
102…ゲートウェイ
103…センシング情報管理センタ
104…ネットワーク
105…ホスト機器メーカM1
106…ホスト機器メーカM2
107…アプリケーションサービスプロバイダASP1
108…アプリケーションサービスプロバイダASP2
109…アプリケーションサービスプロバイダASP3
110…センシング機器NM1
111…センシング機器NM2
112…センシング機器NM3
201…センシング機器
202…ホスト機器
203…通信モジュール
204…制御部
205…通信IF
206…入出力IF
207…ホスト機器主要機能部
208…機器間通信処理部
209…入出力IF
210…機器間通信処理部
211…電源供給部
212…ホスト機器・通信モジュール間パケット（A）
213…テンプレートID
214…センシング情報
215…ホスト機器・通信モジュール間パケット（B）
216…センシング情報
301…送信パケット
302…宛先ID
303…送信元ID
304…テンプレートID
305…センシング情報
306…送信パケット例（A)
307…送信パケット例（B)
308…送信パケット例（C)
401…ID
402…タグ
403…タイプ
404…オフセット
405…長さ
406…メーカ名
407…間隔
501…ホスト機器メーカ
502…センシング情報管理センタ
503…センシング機器の開発
504…テンプレート新規取得要求
505…テンプレート新規取得要求の検証
506…テンプレート新規取得要求の受領
507…テンプレート情報の送信
508…テンプレート情報の登録
509…テンプレートIDの発行
510…テンプレートIDの送信
601…ホスト機器
602…ゲートウェイ
603…センシング情報管理センタ
604…センシング情報取得
605…テンプレートID付加
606…センシング情報送信パケット生成
607…センシング情報送信パケット送信
608…センシング情報送信パケット転送
609…センシング情報送信パケット受信
610…テンプレートIDの取得、検証
611…センシング情報の登録
701…アプリケーションサービスプロバイダ
702…センシング情報管理センタ
703…センシング機器ID、テンプレートIDを送信
704…センシング情報取得要求の検証
705…センシング情報得要求の受領
706…センシング情報の送信
707…センシング情報受領確認の送信
801…ホスト機器
802…ゲートウェイ
803…センシング情報管理センタ
804…センシング情報管理者
805…センシング情報取得
806…テンプレートID付加
807…センシング情報送信パケット生成
808…センシング情報送信パケット送信
809…センシング情報送信パケット転送
810…センシング情報送信パケット受信
811…テンプレートIDの取得、検証
812…センシング情報の登録
813…センシング情報受信間隔チェック
814…センシング情報未受信機器の発見
815…センシング情報送信要求を送信
816…異常動作機器の存在を通知
817…センシング情報送信要求の転送
901…ネットワーク
902…センシング情報管理センタ
903…ネットワーク
904…ホスト機器メーカM1
905…ホスト機器メーカM2
906…アプリケーションサービスプロバイダASP1
907…アプリケーションサービスプロバイダASP2
908…アプリケーションサービスプロバイダASP3
909…センシング機器NM1
910…センシング機器NM2
911…センシング機器NM3
1001…送信パケット
1002…宛先ID
1003…送信元ID
1004…センシング情報
1101…送信元ID
1102…ID
【図１】
0005308649.tif 000002
【図２】
0005308649.tif 000003
【図３】
0005308649.tif 000004
【図４】
0005308649.tif 000005
【図５】
0005308649.tif 000006
【図６】
0005308649.tif 000007
【図７】
0005308649.tif 000008
【図８】
0005308649.tif 000009
【図９】
0005308649.tif 000010
【図１０】
0005308649.tif 000011
【図１１】
0005308649.tif 000012